(57)【要約】【課題】従来技術に比較して構成が簡単であって、映像信号の同期をとりつつ映像音声信号を無線伝送することができる無線映像伝送方法及び装置を提供する。【解決手段】映像ソース機器２０１から無線送信機２０３に向かって映像信号及び音声信号をクロック信号を伴って有線伝送し、当該映像信号及び音声信号を受信した無線送受信機２０３により当該映像信号及び音声信号を無線受信機２０５に無線伝送を行う無線映像伝送方法において、無線送受信機２０３が映像信号に付加された音声信号のクロック再生に用いられる分周比情報及び時間情報と、音声信号のクロック周波数情報を用いて、映像信号のクロック周波数を計算して特定する。また、無線送受信機２０３から無線受信機２０５に向かって映像信号及び音声信号を無線伝送するとき、映像信号のクロック周波数及び音声信号のクロック周波数の各情報を無線伝送する。【選択図】図２
2010154418.tif 000002
【特許請求の範囲】
【請求項１】
第１の機器から第２の機器に向かって映像信号及び音声信号をクロック信号を伴って有線伝送し、当該映像信号及び音声信号を受信した第２の機器により当該映像信号及び音声信号を第３の機器に無線伝送を行う無線映像伝送方法において、
前記第２の機器が映像信号に付加された音声信号のクロック再生に用いられる分周比情報及び時間情報と、音声信号のクロック周波数情報を用いて、映像信号のクロック周波数を計算して特定するステップを含むことを特徴とする無線映像伝送方法。
【請求項２】
上記第２の機器から上記第３の機器に向かって映像信号及び音声信号を無線伝送するとき、映像信号のクロック周波数及び音声信号のクロック周波数の各情報を無線伝送するステップをさらに含むことを特徴とする請求項１記載の無線映像伝送方法。
【請求項３】
第１の機器と第２の機器の間に第４の機器が配置され、第１の機器から映像信号及び音声信号を上記第４の機器に有線伝送し、上記第４の機器は上記第１の機器から送信された映像信号及び第１の音声信号を受信し、そのうち上記第１の機器から送信された映像信号を第２の機器に有線伝送する無線映像伝送システムのための第４の機器である無線映像伝送装置であって、
上記第１の機器から送信された第１の音声信号を抜き出して再生を行うときに、上記第４の機器は、上記第１の機器から送信された映像信号のクロック周波数を第３の機器において計算によって求めるための、第１の音声信号のクロック再生に用いられる分周比情報及び時間情報と、第１の音声信号のクロック周波数情報との組み合わせの情報を有する第２の音声信号とを発生して上記第２の機器に有線伝送することを特徴とする無線映像伝送装置。
【発明の詳細な説明】
【技術分野】
【０００１】
本発明は、映像信号や音声信号を一本のケーブルで伝送できるＨＤＭＩ（High-Definition Multimedia Interface）規格に関連する無線映像伝送方法及び装置に関し、特に、そのＨＤＭＩ規格に準拠するＨＤＭＩケーブルを介して有線伝送された映像及び音声信号（以下、映像音声信号という。）を無線伝送する無線映像伝送方法及び装置に関する。
【背景技術】
【０００２】
従来、この種の通信システムとしては、例えば特許文献１に記載されているようなものがあった。図１は当該特許文献１において開示された、従来技術に係る無線映像伝送システムに用いる無線映像受信装置１２００の構成を示すブロック図である。
【０００３】
図１の無線映像受信装置１２００は、与えられたアナログ映像信号の同期信号の周波数が基本となる周波数から比較的大きくずれた場合でも、正常な映像信号を再生可能な無線映像伝送システムを提供するための装置であって、メイン制御部１２０１と、アナログ映像信号出力部１２０２と、デジタル映像信号伸長部１２０３と、無線制御部１２０４と、ベースバンド処理回路部１２０５と、無線部１２０６と、アンテナ１２０７と、第１の電圧制御クロック発生部１２０８と、第２の電圧制御クロック発生部１２０９と、告知部１２１０とを備えて構成される。
【０００４】
図１において、送信装置側にて圧縮処理が施されたデジタル映像信号がデジタル映像信号伸張部１２０３に与えられる。送信装置側に与えられるアナログ映像信号の水平同期信号の周波数は送信装置側で測定されており、その測定された周波数が規定の周波数より高い場合、第１の電圧制御クロック発生部１２０８の生成クロックがデジタル映像信号伸張部１２０３に供給される一方、規定の周波数より低い場合、第２の電圧制御クロック発生部１２０９の生成クロックがデジタル映像信号伸張部１２０３に供給されて、圧縮信号の伸張が行われる。
【０００５】
以上のように構成された無線映像伝送システムにおいては、アナログ映像信号をデジタル化して無線伝送を行う際に、無線映像受信装置ではクロックを発生させるために２つの電圧制御型水晶発振器（Voltage Controlled Xtal Oscillator）（図１の１２０８、１２０９に対応する。以下、ＶＣＸＯという。）を用意し、送信側の映像信号の基準周波数２７ＭＨｚがビデオテープレコーダーのようにテープの走行ばらつきによる周波数ずれが生じていたとしても、受信機側で２つのＶＣＸＯが各々±１００ｐｐｍ程度追従できる仕組みを持っているために受信機は周波数の追従が可能となり、映像データの過不足無くデコードできるという特徴を持つ。
【０００６】
【特許文献１】特開２００６−２４６１８５号公報（１５ページ、図２）。
【非特許文献１】Matsushita Electric Industrial Co., Ltd., et al., "High-Definition Multimedia Interface", HDMI Licensing, LLC, Specification Version 1.3a, pp.98-114, November 10, 2006.
【発明の開示】
【発明が解決しようとする課題】
【０００７】
しかしながら、ＨＤＭＩ規格の場合には、映像再生機器により映像信号のフレーム周波数（あるいは別名垂直周波数）が大きく異なる場合がある。例えば、同じ解像度（例えば１９２０×１０８０）の映像信号をＨＤＭＩケーブルで伝送する場合、パーソナルコンピュータでは垂直周波数が６０．００Ｈｚになる場合があるのに対し、ブルーレイディスクレコーダーでは垂直周波数が５９．９４Ｈｚになる。
【０００８】
ＨＤＭＩケーブルで伝送される映像信号のクロック周波数は、映像信号の垂直周波数によって微妙に異なる。例えば、映像信号の画素数が１９２０×１０８０のインタレース信号であり、垂直周波数が５９．９４Ｈｚの場合、映像信号のクロック周波数は約７４．１７５８ＭＨｚである。また、同じ画素数でも垂直周波数が６０．００Ｈｚの映像信号の場合には、映像信号のクロック周波数は７４．２５ＭＨｚとなる。このとき、７４．２５ＭＨｚを７４．１７５８ＭＨｚから見た場合、周波数の差は次式の（式１）より、約１０００ｐｐｍとなる。
【０００９】
［数１］
（７４．２５［ＭＨｚ］−７４．１７５８［ＭＨｚ］）／７４．１７５８［ＭＨｚ］
×１０６≒１０００．３２［ｐｐｍ］（式１）
【００１０】
従来技術に係る通信システムにおいて映像音声信号を送るために、送信機から受信機までＨＤＭＩケーブルで接続されている場合には、当該ＨＤＭＩケーブル内に映像信号用のクロック信号線が設けられているために、上記受信機はクロック信号を直接受信でき、そのクロック信号を用いて映像信号の同期をとることができる。
【００１１】
いま、その従来ＨＤＭＩケーブルで結ばれていた上記送信機と上記受信機の間を無線化する場合を考える。まず、上記送信機は、無線送信機に向かって、ＨＤＭＩケーブルにて映像音声信号を送信する。上記無線送信機は、無線受信機に向かって無線で映像音声信号を送信する。上記無線受信機は、上記受信機に向かってＨＤＭＩケーブルにて映像音声信号を送信する。つまり、ＨＤＭＩケーブルで結ばれていた上記送信機と上記受信機の間に無線回線を挟みいれる形を想定する。ここで用いられる無線方法には、様々なものが考えられるが、データをパケットに挿入して通信を行う無線方法が用いられる。
【００１２】
この場合、無線送信機は、無線受信機まで、上記無線回線を通じて映像信号のクロック信号を無線受信機まで伝えることができない。その理由は以下の２つある。
【００１３】
一つは、無線回線がパケット通信であるため、直接クロック信号を送ることができない点であり、もう一つは、無線送信機は、送信機から送信されたクロック信号について、５９．９４Ｈｚなのか、６０．００Ｈｚなのかを、通常は判別しないことにある。これは、ＨＤＭＩ規格においては、垂直周波数５９．９４Ｈｚと６０．００Ｈｚは同じＶＩＣ（Ｖｉｄｅｏ  Ｉｄｅｎｔｉｆｉｃａｔｉｏｎ  Ｃｏｄｅ）の信号として送られるためである。つまり、無線送信機は、５９．９４Ｈｚの映像信号か、６０．００Ｈｚの信号かを判別しようと思えば、周波数カウンタなどを用いて無線送信機自らが映像信号のクロック周波数を測定するなどしなければならないという問題点があった。
【００１４】
従って、無線送信機から無線受信機に向けて、映像信号の正確なクロック周波数の情報を特に送信しない場合には、無線受信機は、映像信号のみを受信し、その映像信号のクロック信号を受信しないのであるから、垂直周波数が５９．９４Ｈｚの映像信号か、６０．００Ｈｚの映像信号なのかを判別することが非常に難しい。
【００１５】
それ故、無線受信機は、映像信号の同期に破綻をきたす場合があった。そこで、上記に示したように、映像信号の同期に破綻をきたさぬよう、無線送信機において、５９．９４Ｈｚか、６０．００Ｈｚなのかを判定する周波数カウンタなどを設けなければならないという問題点があった。
【００１６】
本発明の目的は以上の問題点を解決し、従来技術に比較して構成が簡単であって、映像信号の同期をとりつつ映像音声信号を無線伝送することができる無線映像伝送方法及び装置を提供することにある。
【課題を解決するための手段】
【００１７】
第１の発明に係る無線映像伝送方法は、第１の機器から第２の機器に向かって映像信号及び音声信号をクロック信号を伴って有線伝送し、当該映像信号及び音声信号を受信した第２の機器により当該映像信号及び音声信号を第３の機器に無線伝送を行う無線映像伝送方法において、
前記第２の機器が映像信号に付加された音声信号のクロック再生に用いられる分周比情報及び時間情報と、音声信号のクロック周波数情報を用いて、映像信号のクロック周波数を計算して特定するステップを含むことを特徴とする。
【００１８】
上記無線映像伝送方法において、上記第２の機器から上記第３の機器に向かって映像信号及び音声信号を無線伝送するとき、映像信号のクロック周波数及び音声信号のクロック周波数の各情報を無線伝送するステップをさらに含むことを特徴とする。
【００１９】
第２の発明に係る無線映像伝送装置は、第１の機器と第２の機器の間に第４の機器が配置され、第１の機器から映像信号及び音声信号を上記第４の機器に有線伝送し、上記第４の機器は上記第１の機器から送信された映像信号及び第１の音声信号を受信し、そのうち上記第１の機器から送信された映像信号を第２の機器に有線伝送する無線映像伝送システムのための第４の機器である無線映像伝送装置であって、
上記第１の機器から送信された第１の音声信号を抜き出して再生を行うときに、上記第４の機器は、上記第１の機器から送信された映像信号のクロック周波数を第３の機器において計算によって求めるための、第１の音声信号のクロック再生に用いられる分周比情報及び時間情報と、第１の音声信号のクロック周波数情報との組み合わせの情報を有する第２の音声信号とを発生して上記第２の機器に有線伝送することを特徴とする。
【発明の効果】
【００２０】
従って、本発明によれば、ＨＤＭＩケーブルで伝送される信号に含まれる音声信号の同期情報から、映像信号の正確な垂直周波数を特定する。このことにより、無線送信機は周波数カウンタなどを保持せずとも垂直周波数を特定できるため、無線送信機の構成が簡易になる。また、本発明によれば、ＨＤＭＩケーブルを介して伝送された映像信号を無線伝送する際に、無線送信機は周波数カウンタなどを保持せずとも映像信号の正確な垂直周波数を簡単に特定できる。
【発明を実施するための最良の形態】
【００２１】
以下、本発明に係る実施形態について図面を参照して説明する。なお、以下の各実施形態において、同様の構成要素については同一の符号を付している。
【００２２】
実施の形態１．
図２は本発明の実施の形態１に係る無線映像伝送システムの構成を示すブロック図である。図２において、２０１は映像ソース機器であり、一般的にはパーソナルコンピュータやブルーレイレコーダーなどの電子機器である。２０２はＨＤＭＩケーブルで、映像ソース機器２０１と無線送信機はＨＤＭＩケーブル２０２を介して接続されている。２０３は無線送信機で、映像ソース機器２０１から送信された映像音声信号を無線で無線受信機２０５に送信する。２０４は無線回線を示している。また、２０５は無線受信機で、無線送信機２０３から送信された映像音声信号を受信し、その受信した映像音声信号を映像シンク機器２０７に送信する機能を持つ。２０６はＨＤＭＩケーブルで、無線受信機２０５と映像シンク機器２０７はＨＤＭＩケーブル２０６を介して接続されている。ここで、ＨＤＭＩケーブル２０２，２０６はＨＤＭＩ規格に準拠して映像音声信号などを有線伝送する。２０７は映像シンク機器で、通常テレビジョン受像機などの電子機器である。本構成を有する無線映像伝送システムにおいては、映像ソース機器２０１は、映像信号と音声信号の両方をＨＤＭＩケーブル２０２を介して出力しているものとする。
【００２３】
ＨＤＭＩ規格においては、映像信号のみならず、映像信号に付随して音声信号を伝送することができる。従って、ＨＤＭＩケーブルを伝送された信号を受信するＨＤＭＩ受信機（図２においては、無線送信機２０３や映像シンク機器２０７が該当する）は、映像信号と音声信号の両方を再生する必要がある。
【００２４】
また、ＨＤＭＩ送信機は様々な映像信号及び音声信号を取り扱う。例えば、音声信号のサンプリング周波数においては３２ｋＨｚ，４４．１ｋＨｚ，４８ｋＨｚ，９６ｋＨｚ，１９２ｋＨｚなどがあり、そのままのサンプリング周波数の音声データをＨＤＭＩケーブルで伝送する場合には、ＨＤＭＩケーブルで送信されるのは映像信号のクロックのみであるから、ＨＤＭＩ受信機に何らかの音声信号の同期情報を送信する必要がある。このため、ＨＤＭＩ規格では、データアイランド（Ｄａｔａ  Ｉｓｌａｎｄ）と呼ばれる映像信号のブランク期間に送られるデータパケットの中に、オーディオクロック再生（Ａｕｄｉｏ  Ｃｌｏｃｋ  Ｒｅｇｅｎｅｒａｔｉｏｎ）パケットが定義されている。当該オーディオクロック再生パケットには、分周比Ｎ値及び時間情報であるサイクルタイムスタンプ（Cycle Time Stamp）ＣＴＳ値、及び音声信号のサンプリング周波数ｆｓなどが格納される。ここで、分周比Ｎ値は、整数値であり、非特許文献１の７．２．１節に定義され、以下の値をとる。
【００２５】
［数２］
１２８×ｆｓ／１５００Ｈｚ≦Ｎ≦１２８×ｆｓ／３００Ｈｚ（式２）
【００２６】
上記（式２）を満たし、推奨される分周比Ｎ値は以下の（式３）の通り
【００２７】
［数３］
１２８×ｆｓ／１０００Ｈｚがほぼ分周比Ｎ値に等しい。（式３）
【００２８】
ここで、ｆｓは、音声信号（オーディオデータ）のサンプリング周波数（単位Ｈｚ）である。また、サイクルタイムスタンプＣＴＳ値は整数値であり、非特許文献１の７．２．２節に定義されており、以下の通りである。
【００２９】
［数４］
（平均ＣＴＳ値）
＝（ｆ＿ＴＭＤＳ＿Ｃｌｏｃｋ×Ｎ）／（１２８×ｆｓ）（式４）
【００３０】
ここで、ｆ＿ＴＭＤＳ＿Ｃｌｏｃｋは、ＨＤＭＩケーブルのクロック線でＴＭＤＳ（Transition Minimized Differential Signaling）信号方式で送られる映像信号のクロック周波数である。ＨＤＭＩ信号の受信機は、受信したＮ値及びＣＴＳ値を用いて、（式４）を満たすよう、周波数ｆ＿ＴＭＤＳ＿Ｃｌｏｃｋの映像信号用クロック信号を分周することにより、周波数ｆｓの音声信号用クロック信号を得ることができる。このようにして、ＨＤＭＩ信号の受信機は映像信号用のクロック信号から、音声信号用のクロックを作り出している。
【００３１】
ここで、いま課題となっているのは、無線送信機２０３においてクロック周波数ｆ＿ＴＭＤＳ＿Ｃｌｏｃｋの値が正確に把握できないということである。
いま、送信されるＨＤＭＩ信号の映像クロック信号のクロック周波数をｆ＿ＴＭＤＳ＿Ｃｌｏｃｋ＿１とする。無線送信機２０３は、元来、ＨＤＭＩクロック信号が直接受信できたために、正確にクロック周波数ｆ＿ＴＭＤＳ＿Ｃｌｏｃｋ＿１を把握せずとも、受信したクロック信号を用いて映像信号を同期することはできた。しかしながら、当該映像信号及び音声信号をさらに無線で伝送する場合には、クロック信号を送ることができないために、クロック信号の周波数の正確な値を把握し、無線受信機２０５に通知する必要が生じる。そうでなければ、無線受信機２０５は正常に映像信号及び音声信号を同期できない。
【００３２】
そこで、本発明に係る実施の形態では、無線送信機２０３は、映像ソース機器２０１から送信された、音声信号の同期情報である分周比Ｎ値及びサイクルタイムスタンプＣＴＳ値及び音声信号のサンプリング周波数ｆｓ値を用いて、上記（式２）及び（式４）を用いて、正確なクロック周波数ｆ＿ＴＭＤＳ＿Ｃｌｏｃｋ＿１の値を計算により得る。
【００３３】
一例として、いま映像ソース機器２０１は、サンプリング周波数ｆｓ＝４８０００［Ｈｚ］、クロック周波数ｆ＿ＴＭＤＳ＿Ｃｌｏｃｋ＿１＝７４．１７５８［ＭＨｚ］の映像音声信号を送信する場合を考える。ここで、映像ソース機器２０１は、上記（式２）〜（式４）を満たし、非特許文献１の１０２ページにおいて表７−３に示される分周比Ｎ値及びサイクルタイムスタンプＣＴＳ値の推奨値である、Ｎ＝１１６４８、ＣＴＳ＝１４０６２５を送信するとする。この分周比Ｎ値、サイクルタイムスタンプＣＴＳ値、及びサンプリング周波数ｆｓの各情報を受信した無線送信機２０３は、（式４）を用いて次式のように、正確にクロック周波数ｆ＿ＴＭＤＳ＿Ｃｌｏｃｋ＿１を求めることができる。
【００３４】
［数５］
ｆ＿ＴＭＤＳ＿Ｃｌｏｃｋ＿１
＝ＣＴＳ×１２８×ｆｓ／Ｎ
＝１４０６２５×１２８×４８０００／１１６４８
≒７４．１７５８［ＭＨｚ］      （式５）
【００３５】
その後、無線送信機２０３は、無線受信機２０５に向かって、クロック周波数ｆ＿ＴＭＤＳ＿Ｃｌｏｃｋ＿１及びサンプリング周波数ｆｓの情報をパケットで無線伝送する。
【００３６】
なお、このクロック周波数ｆ＿ＴＭＤＳ＿Ｃｌｏｃｋ＿１やサンプリング周波数ｆｓを無線送信機２０３から無線受信機２０５に無線で送信する手段としては、例えば映像信号のパケットの中に一情報として挿入してもよいし、映像信号を伝送する前の映像信号の一情報として送信してもよい。
【００３７】
以上説明したように、本実施の形態によれば、映像ソース機器２０１からＨＤＭＩ送信された映像音声信号を無線送信機２０３が無線伝送する場合には、映像ソース機器２０１からＨＤＭＩケーブル２０２を介して送信されたデータの中の、データアイランド（Ｄａｔａ  Ｉｓｌａｎｄ）パケットのオーディオクロック再生（Ａｕｄｉｏ  Ｃｌｏｃｋ  Ｒｅｇｅｎｅｒａｔｉｏｎ）パケットに格納されている分周比Ｎ値及びサイクルタイムスタンプＣＴＳ値と、同じくＨＤＭＩケーブル２０２を介して送信されたオーディオサンプリング周波数ｆｓを読み取ることで、計算によりクロック周波数ｆ＿ＴＭＤＳ＿Ｃｌｏｃｋ＿１を計算して把握することができる。
【００３８】
無線送信機２０３はサンプリング周波数ｆｓ及び、クロック周波数ｆ＿ＴＭＤＳ＿Ｃｌｏｃｋ＿１の値を無線で無線受信機２０５に送信することで、無線受信機２０５は映像信号のクロック信号のクロック周波数ｆ＿ＴＭＤＳ＿Ｃｌｏｃｋ＿１と、音声信号のクロック信号のクロック信号ｆｓを正確に把握することが可能となる。
【００３９】
従って、無線受信機２０５は正確にクロック周波数ｆ＿ＴＭＤＳ＿Ｃｌｏｃｋ＿１及びサンプリング周波数ｆｓをクロック再生することができ、その結果、無線受信機２０５から映像シンク機器２０７に向かって、ＨＤＭＩケーブル２０６を介して映像音声信号、及び正確な映像信号のクロック信号を送信できる。最終的に、映像シンク機器２０７は、ＨＤＭＩケーブル２０６を介して伝送された映像音声信号を、同期の破綻無く再生することが可能となる。
【００４０】
実施の形態２．
図３は本発明の実施の形態２に係る無線映像伝送システムの構成を示すブロック図である。図３において、２０１は映像ソース機器であり、一般的にはパーソナルコンピュータやブルーレイレコーダーなどの電子機器である。３０１はＨＤＭＩケーブルであり、３０２は一般的にＡＶアンプと呼ばれており一般には映像信号及び音声信号を増幅するものであり、３０３はＨＤＭＩケーブルである。実施の形態２に係る無線映像伝送システムは、図２の実施の形態１に係る無線映像伝送システムに比較して、映像ソース機器２０１と無線送信機２０３の間に、ＡＶアンプ３０２を配置したところにある。その他の構成は図２と同じである。
【００４１】
いま、映像ソース機器２０１から実施の形態１の場合と同じように映像音声信号が送信されているものとし、ＡＶアンプ３０２はその映像信号及び音声信号を受信し、その受信信号のうち音声信号を抜き出して増幅などしたうえで、別途スピーカー（図示せず。）を用いて音声信号を再生するものとする。この場合、本発明を実施の形態１に示した方法で実施する場合と異なることは、音声信号がＡＶアンプ３０２で終端されるために、音声信号とその付随するサンプリング周波数ｆｓ値、分周比Ｎ値、並びに、サイクルタイムスタンプＣＴＳ値が無線送信機２０３に伝送されないことである。
【００４２】
そこで、実施の形態２においては、ＡＶアンプ３０２は、上記抜き出した音声信号の代わりに同じサンプリング周波数ｆｓ値、分周比Ｎ値、及びサイクルタイムスタンプＣＴＳ値の各情報の組み合わせ（無線受信機２０５又は映像シンク機器２０７において映像信号のクロック周波数を計算するための情報である。）の各情報を有する第２の音声信号を発生し、これらを映像ソース機器２０１から送られた映像信号に重畳してＨＤＭＩケーブル３０３を介して無線送信機２０３に有線送信する。このとき、第２の音声信号は無音の音声信号でもよいし、他の音声信号でもよい。また、送信するサンプリング周波数ｆｓ値、分周比Ｎ値、及びサイクルタイムスタンプＣＴＳ値は必ずしも映像ソース機器２０１から送られてきたものと同一のものでなくともよく、無線送信機２０３が計算により元のクロック周波数ｆ＿ＴＭＤＳ＿Ｃｌｏｃｋ＿１を求めることができるものあればどのような値の組み合わせでもよい。
【００４３】
このようにＡＶアンプ３０２を構成することにより、実施の形態１の場合と同様に、無線送信機２０３は、送られてきたサンプリング周波数ｆｓ値、分周比Ｎ値、及びサイクルタイムスタンプＣＴＳ値から計算によりクロック周波数ｆ＿ＴＭＤＳ＿Ｃｌｏｃｋ＿１を求めることができる。
【産業上の利用可能性】
【００４４】
以上詳述したように、本発明によれば、ＨＤＭＩケーブルで伝送される信号に含まれる音声信号の同期情報から、映像信号の正確な垂直周波数を特定する。このことにより、無線送信機は周波数カウンタなどを保持せずとも垂直周波数を特定できるため、無線送信機の構成が簡易になる。また、本発明によれば、ＨＤＭＩケーブルを介して伝送された映像信号を無線伝送する際に、無線送信機は周波数カウンタなどを保持せずとも映像信号の正確な垂直周波数を簡単に特定できる。特に、本発明に係る無線送信機、無線受信機は元来ＨＤＭＩケーブルにて直接接続されていた映像ソース機器と映像シンク機器を無線化することに寄与する。
【図面の簡単な説明】
【００４５】
【図１】従来技術に係る無線映像伝送システムに用いる無線映像受信装置の構成を示すブロック図である。
【図２】本発明の実施の形態１に係る無線映像伝送システムの構成を示すブロック図である。
【図３】本発明の実施の形態２に係る無線映像伝送システムの構成を示すブロック図である。
【符号の説明】
【００４６】
２０１…映像ソース機器、
２０２…ＨＤＭＩケーブル、
２０３…無線送信機、
２０４…無線回線、
２０５…無線受信機、
２０６…ＨＤＭＩケーブル、
２０７…映像シンク機器、
３０１…ＨＤＭＩケーブル、
３０２…ＡＶアンプ、
３０３…ＨＤＭＩケーブル。
【図１】
2010154418.tif 000003
【図２】
2010154418.tif 000004
【図３】
2010154418.tif 000005